(57)【要約】【課題】安全帯の使用上有益な情報を安全帯に簡単に表示することのできる安全帯用表示具を提供する。【解決手段】安全帯１の使用に関する注意情報を表示した安全帯用表示具１０を安全帯１に装着することにより、前記注意情報を安全帯１に簡単に表示することができる。これにより、安全帯用表示具１０に表示した注意情報により、例えば安全帯１の使用者に安全帯１の使用方法に関する注意を喚起することができ、不適正な使用による転落事故の防止に貢献することができる。また、安全帯用表示具１０を可撓性の帯状部材によって形成し、帯状部材を互いに着脱自在に結合するようにしたので、安全帯１に容易に装着することができるとともに、簡単な構成によって安価に製造することができ、低コスト化に極めて有利である。【選択図】図１２
2006288886.tif 000002
【特許請求の範囲】
【請求項１】
人体に装着される胴ベルトと、一端を胴ベルトに連結されたロープと、ロープの他端に連結された繋止用フックとを備えた安全帯に用いられる安全帯用表示具であって、
前記安全帯に着脱自在に装着され、表面に所定の情報を表示してなる
ことを特徴とする安全帯用表示具。
【請求項２】
互いに端部同士を着脱自在に結合される可撓性の帯状部材からなる
ことを特徴とする請求項１記載の安全帯用表示具。
【請求項３】
前記安全帯のロープとフックとを連結する環状部に挿入され、長手方向一端側及び他端側を長手方向中央部からロープ側に折り返される第１の帯状部材と、第１の帯状部材の長手方向所定位置からロープ側を巻回するように延びる第２の帯状部材とからなり、第１の帯状部材の表面に所定の情報を表示した
ことを特徴とする請求項２記載の安全帯用表示具。
【請求項４】
前記第１の帯状部材の長手方向一端側及び他端側にそれぞれ所定の情報を表示した
ことを特徴とする請求項３記載の安全帯用表示具。
【請求項５】
前記帯状部材を着脱自在に結合する結合部を面状ファスナによって形成した
ことを特徴とする請求項２、３または４記載の安全帯用表示具。
【請求項６】
前記安全帯の使用に関する所定の注意情報を表示した
ことを特徴とする請求項１、２、３、４または５記載の安全帯用表示具。
【請求項７】
少なくとも前記所定情報を表示した部分に黄色の色彩を有する
ことを特徴とする請求項１、２、３、４、５または６記載の安全帯用表示具。
【発明の詳細な説明】
【技術分野】
【０００１】
本発明は、建設工事現場等の高所において作業者が使用する安全帯に所定の情報を表示するための安全帯用表示具に関するものである。
【背景技術】
【０００２】
一般に、工事現場等の高所で作業を行う場合、作業者には転落防止のための安全帯の着用が義務づけられている。この安全帯は、胴ベルトに連結された所定長さのロープを有し、ロープの先端に取付けられた繋止用フックを作業現場の親綱等に掛けることにより、万一の転落の際に作業者をロープで支えるようにしている（例えば、特許文献１参照。）。
【特許文献１】特開２００３−６２０９９号公報
【発明の開示】
【発明が解決しようとする課題】
【０００３】
ところで、前記安全帯は繋止用フックを親綱等の所定の箇所に掛けるのが適正な使用方法であるが、実際の工事現場等では適正な方法で使用されない場合があるため、こうした不適正な使用による転落事故を防止する必要がある。例えば、安全帯のロープを柱等にＵ字状に掛けてフックを胴ベルト等の人体側に連結したり、或いはフックを工具掛け専用のカラビナに連結するなど、フックを転落時の荷重を支えきれない部材に掛けて使用される場合があり、このような不適正な方法による使用の禁止する必要がある。そこで、実際の作業現場では、適正な使用方法を現場管理者が作業者に口頭で伝達したり、或いは現場の所定箇所に設けた安全標識等に表示しているが、口頭や標識では注意喚起が不十分になり易く、安全帯の適正な使用を徹底することができないという問題点があった。
【０００４】
本発明は前記問題点に鑑みてなされたものであり、その目的とするところは、例えば安全帯の使用方法に関する注意情報など、安全帯の使用上有益な情報を安全帯に簡単に表示することのできる安全帯用表示具を提供することにある。
【課題を解決するための手段】
【０００５】
本発明は前記目的を達成するために、人体に装着される胴ベルトと、一端を胴ベルトに連結されたロープと、ロープの他端に連結された繋止用フックとを備えた安全帯に用いられる安全帯用表示具であって、前記安全帯に着脱自在に装着され、表面に所定の情報を表示してなることを特徴とする。
【０００６】
これにより、本発明の安全帯用表示具を安全帯に装着することにより、安全帯の使用上有益な情報が安全帯に簡単に表示される。また、安全帯に着脱自在であるため、他の情報を表示したものと交換することができる。
【発明の効果】
【０００７】
本発明の安全帯用表示具によれば、安全帯の使用上有益な情報を安全帯に簡単に表示することができるので、例えば安全帯の使用方法に関する注意情報を表示することにより、安全帯の使用時に確実に使用者に注意を喚起することができ、不適正な使用による転落事故の防止に貢献することができる。また、他の情報を表示したものと交換することができるので、作業現場の状況等に応じて表示情報を容易に変更することができる。
【発明を実施するための最良の形態】
【０００８】
図１乃至図１２は本発明の一実施形態を示すもので、図１は本発明の安全帯用表示具が装着される安全帯の全体図、図２は安全帯用表示具の斜視図、図３はその正面図、図４はその背面図、図５はその左側面図、図６はその右側面図、図７は平面図、図８はその底面図、図９はその展開状態を示す正面図、図１０はその展開状態を示す背面図、図１１は安全帯への装着前の状態を示す安全帯用表示具の斜視図、図１２は安全帯への装着後の状態を示す安全帯用表示具の斜視図である。
【０００９】
同図に示す安全帯１は、作業者に装着される胴ベルト２を有し、胴ベルト２の一端にはバックル２ａが取付けられ、胴ベルト２にはロープ３の一端が巻取器４を介して連結されている。各ロープ３は、例えばポリアリレート繊維等、平帯状に形成された高強度繊維からなり、その他端には繋止用のフック５が取付けられている。ロープ３の他端側にはショックアブソーバ６が設けられ、フック５はショックアブソーバ６に連結されている。フック５は、略Ｕ字状に湾曲したフック本体５ａと、フック本体５ａの開放部分を開閉する可動部５ｂとを備えた周知の構成からなり、可動部５ｂはロック機構によってロックされ、可動部５ｂの操作部５ｃを操作することにより、可動部５ｂのロックが解除されるようになっている。ショックアブソーバ６は、ロープ３の一部を折り畳んで逢着し、これを合成樹脂のケースで被覆した周知の構成からなり、その先端には環状の連結部６ａが設けられている。即ち、ショックアブソーバ６の連結部６ａは、フック５に設けられた環状の連結部５ｄにＤ形の連結リング７を介して連結され、連結リング７は後述する安全帯用表示具１０の一部が挿入される環状部をなす。また、胴ベルト２にはフック５を収納可能な収納袋２ｂが取付けられ、フック５を親綱から外しているときは収納袋２ｂに収納するようになっている。
【００１０】
本実施形態の安全帯用表示具１０は、表面に所定の情報を表示した第１の帯状部材１１と、第１の帯状部材１１を安全帯１のロープ３側に固定するための第２の帯状部材１２とからなり、各帯状部材１１，１２は合成皮革等の可撓性を有する部材によって形成されるとともに、その表面は黄色に着色されている。
【００１１】
第１の帯状部材１１は長手方向一端側及び他端側にそれぞれ所定の表示１１ａが印刷されており、例えば一方の表示１１ａは「カラビナは工具掛け専用」の縦書きの文字情報からなり、他方の表示１１ａは「Ｕ字つり厳禁」の縦書きの文字情報からなる。即ち、一方の表示１１ａは工具掛け用のカラビナに安全帯１のフック５を掛けないように注意を喚起するためのものであり、他方の表示１１ａは安全帯１のロープ３を柱等にＵ字状に掛けないように注意を喚起するためのものである。尚、各表示１１ａとして表示した前記情報は一例であり、他の注意喚起情報を表示することも可能である。また、第１の帯状部材１１の長手方向他端部の裏面には、周知の面状ファスナからなる第１の結合部１１ｂが設けられている。
【００１２】
第２の帯状部材１２は長手方向中央部を第１の帯状部材１１の長手方向一端部に逢着され、第２の帯状部材１２の長手方向一端部の表面には周知の面状ファスナからなる第２の結合部１２ａが設けられている。また、第２の帯状部材１２の長手方向他端部の表面及び裏面には、それぞれ周知の面状ファスナからなる第３及び第４の結合部１２ｂ，１２ｃが設けられている。
【００１３】
以上のように構成された安全帯用表示具１０を安全帯１に装着する場合には、図１１に示すように第１の帯状部材１１を長手方向他端側から安全帯１の連結リング７に挿入するとともに、第１の帯状部材１１の長手方向一端側及び他端側を長手方向中央部でロープ３側に折り返し、それぞれショックアブソーバ６の前面側及び背面側に配置する。次に、第２の帯状部材１２の長手方向一端側及び他端側をそれぞれショックアブソーバ６の幅方向両側方に配置するとともに、その先端側をショックアブソーバ６の背面側で互いに重ね合わせ、第２及び第４の結合部１２ａ，１２ｃによって結合する。そして、ショックアブソーバ６の背面側に配置されている第１の帯状部材１１の長手方向他端部を第２の帯状部材１２の長手方向他端部に重ね合わせ、第１及び第３の結合部１１ｂ，１２ｂによって第２の帯状部材１２に結合することにより、図１２に示すように安全帯用表示具１０が安全帯１に装着される。また、各結合部１１ｂ，１２ａ，１２ｂ，１２ｃの結合を解除することにより、安全帯用表示具１０が安全帯１から取外される。
【００１４】
このように、本実施形態によれば、安全帯１の使用に関する注意情報を表示した安全帯用表示具１０を安全帯１に装着することにより、前記注意情報を安全帯１に簡単に表示することができる。これにより、前記注意情報によって安全帯１の使用者に安全帯１の使用方法に関する注意を喚起することができ、不適正な使用による転落事故の防止に貢献することができる。この場合、安全帯用表示具１０を安全帯１に着脱自在に装着することができるので、他の情報を表示したものと交換することができ、作業現場の状況等に応じて表示情報を容易に変更することができる。
【００１５】
また、安全帯用表示具１０を可撓性の帯状部材によって形成し、帯状部材を互いに着脱自在に結合するようにしたので、安全帯１に容易に装着することができるとともに、簡単な構成によって安価に製造することができ、低コスト化に極めて有利である。
【００１６】
この場合、安全帯用表示具１０を、安全帯１の連結リング７に挿入され、長手方向中央部からロープ３側に折り返される第１の帯状部材１１と、第１の帯状部材１１の長手方向一端側及び他端側からロープ３側を巻回するように延びる第２の帯状部材１２とから構成しているので、第１の帯状部材１１と連結リング７との係合により、安全帯１に位置ずれを生ずることなく確実に装着することができる。この場合、注意情報の表示１１ａを有する第１の帯状部材１１はロープ３に沿って延びているので、第１の帯状部材１１を表示１１ａに応じた長さに形成することができ、長い文字情報であっても文字を小さくすることなく表示することができる。
【００１７】
また、注意情報の表示１１ａを第１の帯状部材１１の長手方向一端側及び他端側にそれぞれ設けるようにしたので、帯状部材１１の長手方向一端側及び他端側に互いに異なった注意情報を表示することができ、複数種類の注意を喚起することができる。
【００１８】
更に、各帯状部材１１，１２を互いに着脱自在に結合する結合部１１ｂ，１２ａ，１２ｂ，１２ｃを面状ファスナによって形成するようにしたので、安全帯１への着脱作業を極めて容易に行うことができる。
【００１９】
また、各帯状部材１１，１２の表面を黄色に着色したので、注意情報の表示１１ａを目立たせることができ、注意喚起を効果的に行うことができる。
【００２０】
尚、前記実施形態では、第１の帯状部材１１の長手方向一端部に第２の帯状部材１２の長手方向中央部を接合したものを示したが、第１の帯状部材１１の長手方向一端部に第２の帯状部材１２の長手方向一端部または他端部を接合するようにしてもよく、第１及び第２の帯状部材１１，１２は互いに一体に形成されていてもよい。また、第１の帯状部材１１が長い場合には、第２の帯状部材１１を第１の帯状部材１１の長手方向複数箇所に設けるようにすれば、第１の帯状部材１１を安全帯１のロープ３側に確実に保持することができる。
【００２１】
更に、前記実施形態では、第１及び第２の帯状部材１１，１２を黄色に着色したものを示したが、第１の帯状部材１１のみを黄色に着色するようにしてもよい。
【００２２】
また、前記実施形態では、安全帯用表示具１０に安全帯１の使用に関する注意情報を表示したものを示したが、このような情報に限らず、例えば使用者の氏名またはその他の管理情報など、安全帯１の使用上有益な他の情報を表示するようにしてもよい。
【図面の簡単な説明】
【００２３】
【図１】本発明の安全帯用表示具が装着される安全帯の全体図
【図２】本発明の一実施形態を示す安全帯用表示具の斜視図
【図３】安全帯用表示具の正面図
【図４】安全帯用表示具の背面図
【図５】安全帯用表示具の左側面図
【図６】安全帯用表示具の右側面図
【図７】安全帯用表示具の平面図
【図８】安全帯用表示具の底面図
【図９】安全帯用表示具の展開状態を示す正面図
【図１０】安全帯用表示具の展開状態を示す背面図
【図１１】安全帯への装着前の状態を示す安全帯用表示具の斜視図
【図１２】安全帯への装着後の状態を示す安全帯用表示具の斜視図
【符号の説明】
【００２４】
１…安全帯、２…胴ベルト、３…ロープ、５…フック、６ショックアブソーバ、７…連結リング、１０…安全帯用表示具、１１…第１の帯状部材、１１ａ…表示、１１ｂ…結合部、１２…第２の帯状部材、１２ａ，１２ｂ，１２ｃ…結合部。
【図１】
2006288886.tif 000003
【図２】
2006288886.tif 000004
【図３】
2006288886.tif 000005
【図４】
2006288886.tif 000006
【図５】
2006288886.tif 000007
【図６】
2006288886.tif 000008
【図７】
2006288886.tif 000009
【図８】
2006288886.tif 000010
【図９】
2006288886.tif 000011
【図１０】
2006288886.tif 000012
【図１１】
2006288886.tif 000013
【図１２】
2006288886.tif 000014